(57)【要約】【目的】コントラストハーモニックイメージング法によっても血流速度の違いを表示可能なことを課題とする。【構成】超音波造影剤を投与した被検体に対して超音波パルス信号を送信し、得られたエコー受波信号に基づきハーモニックＢモード画像を形成する超音波造影信号の処理方法であって、前記エコー受波信号より基本波成分ｆと高調波成分２ｆとを分離抽出し、該抽出した両信号を同一の超音波断層面上に識別可能な態様で表示する。【選択図】    図１
2004147823.tif 000002
【特許請求の範囲】
【請求項１】
超音波造影剤を投与した被検体に対して超音波パルス信号を送信し、得られたエコー受波信号に基づきハーモニックＢモード画像を形成する超音波造影信号の処理方法であって、前記エコー受波信号より基本波成分と高調波成分とを分離抽出し、該抽出した両信号を同一の超音波断層面上に識別可能な態様で表示することを特徴とする超音波造影信号の処理方法。
【請求項２】
超音波造影剤を投与した被検体に対して極性反転した超音波パルス信号を送信し、得られたエコー受波信号の加算信号に基づきハーモニックＢモード画像を形成する超音波造影信号の処理方法であって、前記加算信号より基本波成分と高調波成分とを分離抽出し、該抽出した両信号を同一の超音波断層面上に識別可能な態様で表示することを特徴とする超音波造影信号の処理方法。
【請求項３】
前記抽出した両信号を同一の超音波断層面上に異なる色彩で表示することを特徴とする請求項１又は２に記載の超音波造影信号の処理方法。
【請求項４】
超音波探触子と、
前記超音波探触子を駆動して被検体に対して超音波パルス信号を送受信する送受信手段と、
前記送受信手段で受信したエコー受波信号から基本波成分と高調波成分を分離抽出するフィルタ手段と、
前記フィルタ手段の各抽出信号を同一の超音波断層面上に識別可能な態様で表示する表示手段とを備えることを特徴とする超音波診断装置。
【請求項５】
超音波探触子と、
前記超音波探触子を駆動して被検体に対して極性反転した超音波パルス信号を送受信する送受信手段と、
前記送受信手段からの極性反転したエコー受波信号を加算する加算手段と、
前記加算手段の出力信号から基本波成分と高調波成分を分離抽出するフィルタ手段と、
前記フィルタ手段の各抽出信号を同一の超音波断層面上に識別可能な態様で表示する表示手段とを備えることを特徴とする超音波診断装置。
【請求項６】
送受信手段からのエコー受波信号に基づいてＢモード画像を形成するＢモード処理手段を更に備え、表示手段はフィルタ手段の各抽出信号とＢモード処理手段の出力信号とを同一の超音波断層面上に識別可能な態様で表示することを特徴とする請求項４又は５に記載の超音波診断装置。
【請求項７】
送受信手段からのエコー受波信号に基づいてドプラモード画像を形成するドプラモード処理手段を更に備え、表示手段はフィルタ手段の各抽出信号とドプラモード処理手段の出力信号とを同一の超音波断層面上に識別可能な態様で表示することを特徴とする請求項４又は５に記載の超音波診断装置。
【請求項８】
表示手段は同一の超音波断層面上に重ねて表示される各信号を異なる色彩で表示することを特徴とする請求項４乃至７のいずれか１に記載の超音波診断装置。
【発明の詳細な説明】
【０００１】
【発明の属する技術分野】
本発明は超音波造影信号の処理方法及び超音波診断装置に関し、更に詳しくは、超音波造影剤を投与した被検体に対して超音波パルス信号を送信し、得られたエコー受波信号に基づきハーモニックＢモード画像を形成する超音波造影信号の処理方法及び超音波診断装置に関する。
【０００２】
【従来の技術】
従来より、気泡からなる超音波造影剤を併用したハーモニックＢモード（以下、コントラストハーモニックイメージング法とも呼ぶ）により、血管を含むような各種臓器の超音波断層映像を観測することが行われる。気泡により音響インピーダンスに大きな変化があると、強いエコー信号が発生すると共に、２次，３次の高調波信号が発生することで、専ら血液に含まれる気泡からのエコー信号を高感度で取り出せる。
【０００３】
一例の臓器として肝臓の機能を説明すると、胃や小腸、大腸等から吸収された養分は門脈を通って肝臓（組織）に入る。門脈は肝細胞の間をぬって細かく細い血管に枝分れしており、養分を含む血液を肝臓の隅々に送り込む。養分は肝細胞の中に取り込まれ、そこで生体に必要な物質に再合成される。再合成された物質は再び血中に戻され、更に肝静脈、大静脈に入って心臓に戻り、体の各部に運ばれる。
【０００４】
このような肝臓の診断は、腕の静脈に超音波造影剤を投与すると共に、該造影剤を含む血流が肝門脈末端の細い血管より肝組織に浸透し、貯留されていく状態を継続的に観測することで行われる。
【０００５】
このような状況の下、従来は、基本波エコー信号と高調波信号とを巧みに利用することで広帯域のハーモニックスエコーを効率よく抽出する超音波撮影装置が知られている（例えば特許文献１）。その内容を具体的に言うと、１回目は波形歪みを起こすに足る音圧の超音波を送波することで、その受信エコーには基本波エコーとハーモニックスエコーとが含まれ、２回目は波形歪みを起こすに足りない音圧の超音波を前記と同一方向に送波することで、その受信エコーには基本波エコーのみが含まれる。そこで、これら２つのエコー信号の差を形成することにより、基本波エコーを相殺して、ハーモニックスエコーを抽出するものである。
【０００６】
【特許文献１】
特開２００１−３５３１５５号公報（［００４３］〜［００４６］）。
【０００７】
【発明が解決しようとする課題】
しかし、上記特許文献１を含むような、従来のいずれのコントラストハーモニックイメージング法においても、気泡を含む血液がそこにあるか否かについては高感度で検出できるが、その血液が動いているか否かの状態の信号を得ることは出来なかった。即ち、従来は、コントラストハーモニックイメージング法によって血流速度の違いを表示することは困難であった。
【０００８】
このため、従来方法で例えば肝臓の超音波診断を行う場合には、はじめに血管部が白く染まり、次に肝組織が白く染まると、観測の後期相では肝臓の全体が白く染まって血管部と肝組織との区別がつかなくなり、このため腫瘍等の疾患部と血管部との境界を把握することが困難なものとなっていた。
【０００９】
本発明は上記従来技術の問題点に鑑みなされたもので、その目的とする所は、コントラストハーモニックイメージング法によっても血流速度の違いを表示可能な超音波造影信号の処理方法及び超音波診断装置を提供することにある。
【００１０】
【課題を解決するための手段】
上記の課題は例えば図１の方法により解決される。即ち、本発明（１）の超音波造影信号の処理方法は、超音波造影剤を投与した被検体に対して超音波パルス信号を送信し、得られたエコー受波信号に基づきハーモニックＢモード画像を形成する超音波造影信号の処理方法であって、前記エコー受波信号より基本波成分ｆと高調波成分２ｆとを分離抽出し、該抽出した両信号を同一の超音波断層面上に識別可能な態様で表示するものである。
【００１１】
本発明者等は、超音波造影剤を使用した被検体からのエコー受波信号につき、その周波数成分を詳細に観察したところ、血流速度が比較的速い血管部では血流によるドプラシフトが大きいため、そのエコー受波信号には基本波成分ｆが多く含まれるが、血流速度が遅い組織の染映部では血流によるドプラシフトが小さいため、そのエコー受波信号では造影剤の振動等に伴う高調波成分２ｆが支配的となることを突き止めた。そこで、本発明（１）では、エコー受波信号より基本波成分ｆと高調波成分２ｆとを分離抽出し、該抽出した両信号ｆ，２ｆを同一の超音波断層面上に識別可能な態様で表示することとした。従って、本発明（１）によれば、造影剤を使用したコントラストハーモニックイメージング法でも血流速度の違いを表示可能となる。
【００１２】
また本発明（２）の超音波造影信号の処理方法は、超音波造影剤を投与した被検体に対して極性反転した超音波パルス信号を送信し、得られたエコー受波信号の加算信号に基づきハーモニックＢモード画像を形成する超音波造影信号の処理方法であって、前記加算信号より基本波成分ｆと高調波成分２ｆとを分離抽出し、該抽出した両信号ｆ，２ｆを同一の超音波断層面上に識別可能な態様で表示するものである。
【００１３】
本発明者等は、パルスインバージョン法によるコントラストハーモニックイメージング法において、極性反転した各エコー受波信号の加算信号につき、その周波数成分を詳細に観察したところ、血流速度が比較的速い血管部では加算信号に基本波成分ｆが多く含まれ、また血流速度が遅い組織の染映部では高調波成分２ｆが多く含まれることを突き止めた。そこで、本発明（２）では、前記加算信号より基本波成分ｆと高調波成分２ｆとを分離抽出し、該抽出した両信号ｆ，２ｆを同一の超音波断層面上に識別可能な態様で表示することとした。従って、本発明（２）によれば、パルスインバージョン法によるコントラストハーモニックイメージング法でも血流速度の違いを表示可能となる。
【００１４】
本発明（３）では、上記本発明（１）又は（２）において、前記抽出した両信号ｆ，２ｆを同一の超音波断層面上に異なる色彩で表示するものである。従って、血管部と組織部とを色分けにより容易に識別できる。
【００１５】
また上記の課題は例えば図１の構成により解決される。即ち、本発明（４）の超音波診断装置は、超音波探触子１と、前記超音波探触子を駆動して被検体に対して超音波パルス信号を送受信する送受信手段２と、前記送受信手段で受信したエコー受波信号から基本波成分ｆと高調波成分２ｆを分離抽出するフィルタ手段４と、前記フィルタ手段の各抽出信号ｆ，２ｆを同一の超音波断層面上に識別可能な態様で表示する表示手段５とを備えるものである。従って、超音波造影剤を使用したコントラストハーモニックイメージング法でも血流速度の違いを表示可能となる。
【００１６】
また上記の課題は例えば図１の構成により解決される。即ち、本発明（５）の超音波診断装置は、超音波探触子１と、前記超音波探触子を駆動して被検体に対して極性反転した超音波パルス信号を送受信する送受信手段２と、前記送受信手段からの極性反転したエコー受波信号を加算する加算手段３と、前記加算手段の出力信号から基本波成分ｆと高調波成分２ｆを分離抽出するフィルタ手段４と、前記フィルタ手段の各抽出信号を同一の超音波断層面上に識別可能な態様で表示する表示手段５とを備えるものである。従って、パルスインバージョン法を使用したコントラストハーモニックイメージング法でも血流速度の違いを表示可能となる。
【００１７】
本発明（６）では、上記本発明（４）又は（５）において、送受信手段からのエコー受波信号に基づいてＢモード画像を形成するＢモード処理手段を更に備え、表示手段はフィルタ手段の各抽出信号とＢモード処理手段の出力信号とを同一の超音波断層面上に識別可能な態様で表示するものである。従って、造影剤で強調されたハーモニックＢモード画像に、生体組織のＢモード画像を重ねて表示でき、よって使用者は周辺ハーモニックＢモードイメージの観測環境を把握し易い。
【００１８】
本発明（７）では、上記本発明（４）又は（５）において、送受信手段からのエコー受波信号に基づいてドプラモード画像を形成するドプラモード処理手段を更に備え、表示手段はフィルタ手段の各抽出信号とドプラモード処理手段の出力信号とを同一の超音波断層面上に識別可能な態様で表示するものである。従って、上記造影剤で強調されたハーモニックＢモード画像に、血流の速度、方向を含むようなドプラモード画像を重ねて表示でき、よって使用者は血流の詳細情報を容易に観測できる。
【００１９】
本発明（８）では、上記本発明（４）〜（７）において、表示手段は同一の超音波断層面上に重ねて表示される各信号を異なる色彩で表示するものである。従って、使用者は各種信号処理モードに従う断層画像を識別し易い。
【００２０】
【発明の実施の形態】
以下、添付図面に従って本発明に好適なる複数の実施の形態を詳細に説明する。なお、全図を通して同一符号は同一又は相当部分を示すものとする。
【００２１】
図２は実施の形態による超音波診断装置のブロック図であり、図において、１００はアレイ振動子を有する超音波探触子、２００は超音波診断装置の本体部、３００は超音波画像等のカラー表示部、４００はキーボードや各種操作ボタン等を備えるコンソール部（ＣＳＬ）である。
【００２２】
本体部２００には、超音波探触子１００を駆動して被検体に対して超音波を送受信する送受信部１０と、被検体からのエコー受波信号に基づき各種の画像表示モードに従う信号処理を行う信号処理部２０と、各種の画像表示モードに対応する超音波断層画像を生成して画面に表示する画像処理部３０と、本装置の主制御・処理を行う制御部４０とが含まれる。また、上記信号処理部２０には、Ｂ（Ｂｒｉｇｈｔｎｅｓｓ）モード処理部２１と、ハーモニックＢモード処理部２２と、カラードプラモード処理部２３とが含まれ、超音波断層診断（撮影）の目的に応じて、各モード処理部２１〜２３の内の何れか１又は２以上の組合せが用いられる。
【００２３】
なお、このハーモニックＢモードには、微強超音波の伝搬に伴い発生する高調波成分を積極的に利用する方法や、造影剤との作用によって生じる非線形性を積極的に利用する方法等が含まれる。以下、撮影目的に応じたいくつかの構成例を具体的に説明する。
【００２４】
図３は第１の実施の形態による超音波撮影方式を説明する図（１）であり、被検体をパルスインバージョン方式によらない通常のハーモニックＢモードの単独で造影検査する場合を示している。  なお、パルスインバージョン方式によらないとは、基本波成分ｆと高調波成分２ｆとを分離抽出する対象の信号が被検体からのエコー受波信号であって、正負極性の各エコー受波信号の加算信号を対象とするのではないという意味である。従って、被検体に対して正極性のみ又は負極性のみ又は正負極性のパルス信号を交互に送信することまでを制限するものではない。
【００２５】
図３（Ａ）にその構成を模式的に示す。図において、▲１▼’はハーモニックＢモードの信号処理系、２２２は被検体に基本波の超音波信号を送信した場合のエコー受波信号から基本波成分ｆを抽出するローパスフィルタ（ＬＰＦ）、３１はＬＰＦ２２２の出力信号に例えば紫色のデータを付与する紫色データ付加部（ＶＬＴ）、２２３は前記エコー受波信号から高調波成分２ｆを抽出するハイパスフィルタ（ＨＰＦ）、３２はＨＰＦ２２３の出力信号に例えば橙色のデータを付与する橙色データ付加部（ＯＲＧ）、３３は前記色付けされた各カラー画像データを同一断層面上に合成してカラー表示する画像合成部である。以下、動作を説明する。
【００２６】
図５（Ａ）に超音波探触子１００によって生成される音場を示す。計測に利用する遠距離音場では、ビーム中央部の振幅が最強となるため、２次高調波が発生し易い領域となっている。この２次高調波成分を積極的に画像化することにより、高い方位分解能及びスライス方向分解能が得られる。
【００２７】
係る状況の下で、本発明者等は、超音波造影剤を使用した被検体からのエコー受波信号につき、その周波数成分を詳細に観察したところ、血流速度が比較的速い血管部では血流によるドプラシフトが大きいため、そのエコー受波信号には基本波成分ｆが多く含まれるが、血流速度が遅い組織の染映部では血流によるドプラシフトが小さいため、そのエコー受波信号では造影剤の振動等に伴う高調波成分２ｆが支配的となることを突き止めた。この関係を図３（Ｂ）にグラフ化して示す。
【００２８】
図３（Ａ）に戻り、この構成を例えば肝臓の撮影に適用すると、血管部では造影剤に動きがあるために、基本波成分ｆが支配的となる。そこで、エコー受波信号からＬＰＦ２２２によって基本波成分ｆを抽出すると共に、この基本波成分ｆに対しては例えば紫色のデータを付すことにより血管部を紫色で表示する。一方、組織部では造影剤に動きがないため、高調波成分２ｆが支配的となる。そこで、エコー受波信号からＨＰＦ２２３によって高調波成分２ｆを抽出すると共に、この高調波成分２ｆに対しては例えば橙色のデータを付すことにより組織の部分を橙色で表示する。
【００２９】
上記本第１の実施の形態（１）によれば、造影剤を使用したエコー受波信号から基本波成分ｆと高調波成分２ｆとを分離抽出することで、従来捨てていたような血流の情報を映像化でき、よってコントラストハーモニックイメージング法でも血流速度の違いを有効に識別できる。
【００３０】
図４は第１の実施の形態による超音波撮影方式を説明する図（２）であり、被検体をパルスインバージョン方式によるハーモニックＢモードの単独で造影検査する場合を示している。図４（Ａ）にその構成を模式的に示す。図において、▲１▼はパルスインバージョン方式によるハーモニックＢモードの信号処理系、２２１は極性反転した各エコー受波信号を加算する遅延加算部、２２２は加算信号から基本波成分ｆを抽出するローパスフィルタ（ＬＰＦ）、３１はＬＰＦ２２２の出力信号に対して例えば紫色のデータを付与する紫色データ付加部（ＶＬＴ）、２２３は加算信号から高調波成分２ｆを抽出するハイパスフィルタ（ＨＰＦ）、３２はＨＰＦ２２３の出力信号に対して例えば橙色のデータを付与する橙色データ付加部（ＯＲＧ）、３３は前記色付けされた各カラー画像データを同一断層面上に合成してカラー表示する画像合成部である。
【００３１】
図５（Ｂ）にパルスインバージョン法による２次高調波の抽出原理を示す。まず音圧が高から低に変化するような正相の基本波パルスａを送信してそのエコー信号ｂを保存し、次に音圧が低から高に変化するような逆相の基本波パルスｃを送信してそのエコー信号ｄを保存する。この場合に、音圧が高い部分の音波は速く伝わり、また音圧が低い部分の音波は遅く伝わる性質があるため、図示の如く、エコー信号ｂの波形は外側に伸び、またエコー信号ｄの波形は内側に縮む傾向にある。そこで、各エコー信号ｂ，ｄを所定のタイミングで加算することにより、図示の如く，基本波成分ｆが相殺され、２次高調波成分２ｆのみが強調されて抽出される。
【００３２】
この実施の形態（２）では、更に超音波造影剤を使用することで、専ら造影剤からのエコー受波信号を高感度で取り出す。但し、被検体を観測中は、超音波造影剤が破壊しない程度の超音波パルスを毎回送信するものとする。このような状況下では、音圧が高いと、気泡が小さく、媒質密度が高いため、音速は速く、また音圧が低いと、気泡が大きく、媒質密度が低いため、音速は遅い傾向にある。従って、上記パルスインバージョン法と同様の高調波抽出作用が得られる。
【００３３】
次に図４（Ｂ）を参照して本実施の形態（２）のバブルハーモニックＢモードにおける血流速度と加算信号との関係を説明する。高調波成分２ｆについては、血流速度の小さい組織部では、１回目と２回目のエコー受波信号間で血流による位相のずれが殆ど生じないため、両信号を加算すると、高調波成分２ｆのみが強調されて抽出されるが、血流速度の大きい血管部では、１回目と２回目のエコー受波信号間で血流による位相のずれが生じるため，両信号を加算すると、高調波成分２ｆは減少する傾向にある。一方、基本波成分ｆについては、上記の現象とは逆であり、血流速度の小さい組織部では、１回目と２回目のエコー受波信号間で殆ど位相のずれが生じないため、両者を加算すると、上記の如く基本波成分ｆは相殺されるが、血流速度の大きい血管部では、１回目と２回目のエコー受波信号間で位相のずれが生じるため，両信号を加算すると、基本波成分ｆは増大する傾向にある。そこで、本第１の実施の形態（２）では、加算信号から基本波成分ｆと高調波成分２ｆを分離抽出することにより、血流速度の大小を識別することとしている。
【００３４】
図４（Ａ）に戻り、上記の如く、血管部では造影剤に動きがあるため、基本波成分ｆが残る。そこで、加算信号からＬＰＦ２２２によって基本波成分ｆを抽出すると共に、この基本波成分ｆに対しては例えば紫色のデータを付すことにより血管部の断層像を紫色で表示する。一方、組織部では造影剤に動きがないため、高調波成分２ｆが残る。そこで、加算信号からＨＰＦ２２３によって高調波成分２ｆを抽出すると共に、この高調波成分２ｆに対しては例えば橙色のデータを付すことにより組織部の断層像を橙色で表示する。
【００３５】
図６は第１の実施の形態による超音波断層影像のイメージ図であり、図６（Ａ）に肝臓を造影検査した場合の早期相における超音波断層イメージを示す。早期相では門脈に投与された造影剤が血流と共に末端の細い血管に運ばれていく様子を紫色で観測できる。更には，門脈末端の細い血管からの血液が境界部の肝組織に貯留され始めて、その部分が橙色で染まると共に、一部の血流は門脈の末端から肝静脈の末端にバイパスされている。なお、この例ではハーモニックＢイメージのみを観測しているため、肝臓の全体形状は表示されない。
【００３６】
図６（Ｂ）に例えばｔ＝１〜２分程度の後期相における超音波断層イメージを示す。この状態では、門脈からの血液が肝組織の略全体に貯留されつつあり、肝臓におけるより広範囲の部分が橙色に染まっている。なお、引き続き肝門脈に気泡が流れ込んでいる場合は、引き続き血管部が紫色に染まっている。従って、観測の後期相でも、血管部とその周囲の腫瘍等を含む組織とを容易に識別できる。なお、観測終了したときは、肝臓を強い音線でスキャンすることにより、気泡を破壊する。
【００３７】
上記本第１の実施の形態（２）によれば、極性反転した各エコー受波信号の加算信号から基本波成分ｆと高調波成分２ｆとを分離抽出することで、従来捨てていたような血流の情報を映像化でき、よってパルスインバージョン法によるコントラストハーモニックイメージング法でも血流速度の違いを有効に識別できる。
【００３８】
図７は第２の実施の形態による超音波撮影方式を説明する図であり、上記ハーモニックＢモードによる造影画像に、通常のＢモードによる画像を重ねて表示する場合を示している。図７（Ａ）にその構成を模式的に示す。図において、▲１▼は上記図４（Ａ）と同様のハーモニックＢモードによる信号処理系、▲２▼はＢモードによる信号処理系である。
【００３９】
図７（Ｂ）に肝臓を造影検査した場合の早期相における超音波断層イメージを示す。本第２の実施の形態では、生体からの基本波成分からなるエコー受波信号に基づきＢモード画像を形成して画面に例えば白色で表示することにより、観測の早期相から肝臓の全体組織を観測できる。
【００４０】
図８は第３の実施の形態による超音波撮影方式を説明する図であり、上記に加え、更にカラードプラモード（ＣＦＭ：カラーフローマッピング法）による血流情報の画像を重ねて表示する場合の構成を模式的に示している．図において、▲１▼はハーモニックＢモードによる信号処理系、▲２▼はＢモードによる信号処理系、▲３▼はドプラモードによる信号処理系である。ドプラモードによる信号処理系▲３▼には、公知のものを使用できるが，１例の構成を図示する。ここには、極性反転させない複数のエコー受波信号につき直交Ｉ，Ｑ軸成分について夫々に受信検波を行う直交検波部２３１と、少なくとも前後２波分の各検波出力Ｉ１，Ｉ２及びＱ１，Ｑ２について夫々に差分を求める減算器２３２Ｉ，２３２Ｑと、各減算出力のＩ，Ｑ信号に基づき高速に周期の算出等による周波数分析を行う自己相関器２３３と、周波数分析結果から気泡の流速ｖ、方向ｐ、流速の分散σ等を含む血流情報を求める演算部２３４とが含まれる。
【００４１】
このような構成により、上記バブルハーモニックＢモードによる画像に、上記ドプラモードにより得られた血流情報をカラーによりリアルタイムに２次元的に表示する。例えばプローブに向かう血流を赤、遠ざかる血流を青、速さを輝度、分散を緑色の混合で表示する。本第３の実施の形態によれば，上記バブルハーモニックＢモードにより、血流の速い部分と遅い部分とを比較的高分解能で識別できる。更には、カラードプラモードの併用により。血流のより詳細な情報が容易に得られる。
【００４２】
なお、上記ドプラモード用のパルスは、ドプラモード専用として別個にバースト送受信しても良いし、又は上記バブルハーモニックＢモード用のエコー受波信号をドプラモード用に利用しても良い。
【００４３】
また、上記本発明に好適なる複数の実施の形態を述べたが、本発明思想を逸脱しない範囲内で各部の構成、制御、処理及びこれらの組み合わせの様々な変更が行えることは言うまでも無い。
【００４４】
【発明の効果】
以上述べた如く本発明によれば、コントラストハーモニックイメージング法によっても血流速度の違いを表示可能なため、簡単な構成により超音波診断に有用な情報が得られる。
【図面の簡単な説明】
【図１】本発明の原理を説明する図である。
【図２】実施の形態による超音波診断装置のブロック図である。
【図３】第１の実施の形態による超音波撮影方式を説明する図（１）である。
【図４】第１の実施の形態による超音波撮影方式を説明する図（２）である。
【図５】ハーモニックＢモード処理を説明する図である。
【図６】第１の実施の形態による超音波断層影像のイメージ図である。
【図７】第２の実施の形態による超音波撮影方式を説明する図である。
【図８】第３の実施の形態による超音波撮影方式を説明する図である。
【符号の説明】
１０  送受信部
２０  信号処理部
３０  画像処理部
４０  制御部
２１  Ｂモード処理部
２２  ハーモニックＢモード処理部
２３  カラードプラモード処理部
１００  超音波探触子
２００  本体部
３００  表示部
４００  コンソール部（ＣＳＬ）
【図１】
2004147823.tif 000003
【図２】
2004147823.tif 000004
【図３】
2004147823.tif 000005
【図４】
2004147823.tif 000006
【図５】
2004147823.tif 000007
【図６】
2004147823.tif 000008
【図７】
2004147823.tif 000009
【図８】
2004147823.tif 000010